(57)【要約】【課題】機枠から突出する可動役物を備えていても、容易にコンパクトにして運搬できる遊技機を提供すること。【解決手段】遊技盤の前面側を覆うガラス扉１２ａｇの周囲の機枠１１側に配設されて演出動作可能な可動役物８１を有した枠側可動役物装置４０と、可動役物の演出動作を制御する演出制御手段と、を備える。可動役物装置は、機枠側に取り付けられる取付側部４１と、可動役物を演出動作可能に保持する可動側部７８と、可動側部を取付側部に対して移動可能に保持する移動機構５７と、を備える。可動側部は、可動役物の一部８１ａをガラス扉１２ａｇから離れる方向へ機枠１１から突出させた状態で、演出制御手段の制御により、可動役物８１を動作させる。移動機構５７は、機枠から突出させた可動役物の一部８１ａを機枠内へ収納させるように、可動側部７８をガラス扉の前面側の退避位置に移動させて保持可能に、配設されている。【選択図】図１２
2018166964.tif 000002
【特許請求の範囲】
【請求項１】
遊技盤の前面側を覆うガラス扉の周囲の機枠側に配設されて、演出動作可能な可動役物を有した枠側可動役物装置と、
前記可動役物の演出動作を制御する演出制御手段と、
を備え、
前記枠側可動役物装置が、
前記機枠側に取り付けられる取付側部と、前記可動役物を演出動作可能に保持する可動側部と、前記可動側部を前記取付側部に対して移動可能に保持する移動機構と、を備え、
前記可動側部が、
前記可動役物の一部を、前記ガラス扉から離れる方向へ前記機枠から突出させた状態で、前記演出制御手段の制御により、前記可動役物を動作させ、
前記移動機構が、
前記機枠から突出させた前記可動役物の前記一部を前記機枠内へ収納させるように、前記可動側部を前記ガラス扉の前面側の退避位置に移動させて保持可能に、配設されていることを特徴とする遊技機。
【発明の詳細な説明】
【技術分野】
【０００１】
本発明は、機枠側に可動役物を配設させて構成される遊技機に関する。
【背景技術】
【０００２】
従来の遊技機としては、機枠から突出する装飾部材を配設させたものがあり、運搬時には、コンパクトにできるように、その装飾部材を機枠から取り外していた（例えば、特許文献１参照）。また、従来の遊技機としては、機枠側に、演出動作を行う可動役物を有した枠側可動役物装置を配設させたものがあった（例えば、特許文献２参照）。
【先行技術文献】
【特許文献】
【０００３】
【特許文献１】特開２０１２−１０５８７８号公報
【特許文献２】特開２０１５−６２６３５号公報
【発明の概要】
【発明が解決しようとする課題】
【０００４】
しかし、演出動作を行う枠側可動役物では、演出動作するための可動部分の分離・接続を考えれば、運搬時に、枠側可動役物を取り外し難く、簡便にコンパクトに収納できることが望まれる。
【０００５】
本発明は、上述の課題を解決するものであり、機枠から突出する可動役物を備えていても、容易にコンパクトにして運搬できる遊技機を提供することを目的とする。
【課題を解決するための手段】
【０００６】
本発明は、上記の課題を解決するために、以下の構成を採用した。なお、本欄における括弧内の記述は、本発明の理解を助けるために後述する実施形態との対応関係を示したものであって、本発明を何ら限定するものではない。
【０００７】
本発明に係る遊技機は、遊技盤（２）の前面側を覆うガラス扉（ガラス板部１２ａｇ）の周囲の機枠（１１）側に配設されて、演出動作可能な可動役物（８１）を有した枠側可動役物装置（４０）と、
前記可動役物の演出動作を制御する演出制御手段（演出制御部２６及びランプ制御部２８）と、
を備え、
前記枠側可動役物装置（４０）が、
前記機枠（１１）側に取り付けられる取付側部（４１）と、前記可動役物（８１）を演出動作可能に保持する可動側部（７８）と、前記可動側部（７８）を前記取付側部（４１）に対して移動可能に保持する移動機構（５７）と、を備え、
前記可動側部（７８）が、
前記可動役物（８１）の一部（上端８１ａ側）を、前記ガラス扉（ガラス板部１２ａｇ）から離れる方向へ前記機枠（１１）から突出させた状態で、前記演出制御手段（演出制御部２６及びランプ制御部２８）の制御により、前記可動役物（８１）を動作させ、
前記移動機構（５７）が、
前記機枠（１１）から突出させた前記可動役物（８１）の前記一部（上端８１ａ側）を前記機枠（１１）内へ収納させるように、前記可動側部（７８）を前記ガラス扉（ガラス板部１２ａｇ）の前面側の退避位置（ＳＰ）に移動させて保持可能に、配設されていることを特徴とする。
【発明の効果】
【０００８】
本発明に係る遊技機では、機枠から突出する可動役物を備えていても、容易にコンパクトにして運搬することができる。
【図面の簡単な説明】
【０００９】
【図１】本発明における一実施形態の遊技機の正面図である。
【図２】実施形態の遊技機の電気系統のブロック図である。
【図３】実施形態の遊技機の機枠側可動役物装置の可動役物本体の待機位置と繰出位置への配置状態、及び、可動役物装置の退避位置への配置状態、を示す概略正面図である。
【図４】実施形態の遊技機の機枠側可動役物装置と盤側可動役物装置との演出動作を説明する概略正面図である。
【図５】実施形態の機枠側可動役物装置における可動役物本体の待機位置と繰出位置との配置状態を前方側から見た概略斜視図である。
【図６】実施形態の機枠側可動役物装置における可動役物本体の待機位置と繰出位置との配置状態を後方側から見た概略斜視図である。
【図７】実施形態の機枠側可動役物装置の可動役物側（可動側部）を退避位置に収納した状態を示す概略正面図である。
【図８】実施形態の機枠側可動役物装置の可動役物側（可動側部）を通常位置と退避位置とに配置させた状態を示す概略側面図である。
【図９】実施形態の機枠側可動役物装置の可動役物側（可動側部）を退避位置に配置させた状態を斜め前下から見た概略斜視図である。
【図１０】実施形態の機枠側可動役物装置の概略分解斜視図である。
【図１１】実施形態の装飾部材（カバー材）の概略分解斜視図である。
【図１２】実施形態の機枠側可動役物装置の天井部と可動役物とを外した概略斜視図である。
【図１３】実施形態の機枠側可動役物装置の移動機構の動作を説明する概略斜視図であり、可動役物側（可動側部）を通常位置と退避位置とに配置させた状態を示す。
【図１４】実施形態の機枠側可動役物装置の移動機構の動作を説明する概略正面図であり、可動役物側（可動側部）を通常位置と退避位置とに配置させた状態を示す。
【図１５】実施形態の機枠側可動役物装置の移動機構を説明する概略分解斜視図である。
【図１６】実施形態の機枠側可動役物装置の移動機構を説明する後方側から見た概略斜視図である。
【図１７】実施形態の機枠側可動役物装置の移動機構を説明する上方側から見た概略平面図である。
【図１８】実施形態の機枠側可動役物装置における可動役物の後方側から見た概略分解斜視図である。
【図１９】実施形態の機枠側可動役物装置における可動役物の駆動機構を説明する後方側から見た概略斜視図である。
【図２０】実施形態の機枠側可動役物装置における可動役物の本体が待機位置から繰出位置に移動した状態を示す概略縦断面図である。
【図２１】実施形態の機枠側可動役物装置における可動役物の駆動機構の正常作動時と故障回避作動時とを説明する概略平面図である。
【図２２】実施形態の機枠側可動役物装置における底部の概略平面図である。
【図２３】実施形態の機枠側可動役物装置の概略底面図である。
【図２４】実施形態の機枠側可動役物装置の遊技球の排出状態を説明する概略正面図である。
【図２５】実施形態の機枠側可動役物装置の可動役物の本体が繰出位置に配置された状態での遊技球の排出状態を説明する概略正面図である。
【図２６】実施形態の遊技機の可動役物装置の演出動作を順に説明する概略正面図である。
【図２７】実施形態の遊技機の可動役物装置の演出動作を順に説明する概略正面図であり、図２６のＣの後の状態を示す。
【図２８】実施形態の遊技機の可動役物装置の演出動作を順に説明する概略正面図であり、図２７のＣの後の状態を示す。
【発明を実施するための形態】
【００１０】
（１）遊技機の概略構成
以下、本発明の一実施形態を図面に基づいて説明すると、実施形態の遊技機１は、パチンコ遊技機であり、図１に示すように、前面枠１２、外枠１３、及び、内枠１４からなる機枠１１を備え、内枠１４には遊技盤２が取り付けられている。外枠１３は、遊技機１の外郭部となる枠体であり、内枠１４は、外枠１３に対して開閉可能に取り付けられ、外枠１３の内側に配置されている。遊技盤２には、発射ハンドル３１の操作により発射された遊技球が流下する遊技領域３が、レール部材４で囲まれて形成され、遊技領域３には、遊技球を誘導する遊技釘（図示せず）が多数突設されている。
【００１１】
なお、本明細書中、概ね、上下とは、遊技を行うために遊技機１を立設した状態における上下をいい、左右は、遊技者から遊技盤２の遊技領域３に向かっての左右をいい、遊技盤２の遊技領域３から遊技者側に向かう方向を前方とし、その反対側を後方とする。後述する機枠側可動役物装置４０の各部位の説明も同様である。
【００１２】
前面枠１２は、内枠１４及び外枠１３に対して開閉可能に、内枠１４の前面側に取り付けられ、遊技盤２を保護するとともに、発射ハンドル３１、枠ランプ２１及びスピーカ１９，２０が配設されている。前面枠１２は、遊技領域３や、遊技盤２の遊技領域３外に配置された図柄表示器１６を目視できるように、それらの前側を覆う透明なガラス板部（ガラス扉）１２ａｇを有したガラス部１２ａと、そのガラス部１２ａの下方の皿ユニット部１２ｂとを備え、皿ユニット部１２ｂには、スピーカ２０と遊技球の貯留皿とが設けられるとともに、操作手段としての演出ボタン３８が配設されている。また、前面枠１２のガラス部１２ａの上部側には、機枠１１側の後述する可動役物装置４０が配設されている。なお、枠ランプ２１やスピーカ１９は、実施形態の場合、可動役物装置４０にも組み付けられている（図１，１０参照）。また、可動役物装置４０の大部分は、開閉可能なガラス板部（ガラス扉）１２ａｇの配置位置より前方側の配置位置に配設されている（図８参照）。
【００１３】
遊技盤２には盤ランプ２２が配設され、遊技盤２の中央部には、センター役物装置１５配置されている。センター役物装置１５の中央部には、画像表示部６の表示画面６ａが配置されるとともに、画像表示部６の周囲に、盤側の可動役物装置３３が配置されている。画像表示部６は、客待ち用のデモ演出、装飾図柄変動演出、大当たり遊技に並行して行われる大当たり演出などを表示画面６ａに表示する。装飾図柄変動演出は、数字等の識別情報を有する装飾図柄を変動させた後停止させ、その停止させた装飾図柄により、後述する大当たり判定の結果を報知する演出である。この装飾図柄変動演出は、後述する特別図柄変動に並行して行われる。
【００１４】
遊技領域３には、始動入賞装置５、大入賞装置７、特定入賞装置８、ゲート９、及び、複数の普通入賞装置１０が設けられている。始動入賞装置５は、センター役物装置１５の下方に配置されて、常時開放されている第１始動口５ａと、前後に進退する開閉部材（ベロ電チュー）５ｃにより開閉される第２始動口５ｂとを備えている。開閉部材５ｃは、第２始動口５ｂの左方側に配置されて、第２始動口ソレノイド５ｆ（図２参照）により駆動される。第２始動口５ｂは、開閉部材５ｃが前方に突出しているときに、流下した遊技球が、開閉部材５ｃの左縁側に載り、さらに、開閉部材５ｃ上を右側に転動して、第２始動口５ｂの前方位置で後方側へ転動することにより、入賞可能とし、開閉部材５ｃが後方に下がっている際には、遊技球が開閉部材５ｃ上を転動せずに、後退している開閉部材５ｃの左縁側を下方側に通過することから、入賞不能となる。第１始動口５ａに入賞した遊技球は、第１始動口ＳＷ（スイッチ）５ｄに検出され、第２始動口５ｂに入賞した遊技球は、第２始動口ＳＷ５ｅに検出される（図２参照）
大入賞装置７は、センター役物装置１５の右下側に配設されて、開閉部材７ｃにより開閉される大入賞口７ａを備えている。開閉部材７ｃは、大入賞口７ａの上方に配置されて、大入賞口ソレノイド７ｄ（図２参照）により駆動される。大入賞口７ａは、大入賞口７ａを開けるように開閉部材７ｃが後方に下がっている際に、遊技球を入賞可能とし、開閉部材７ｃが大入賞口７ａを塞ぐように前方に配置されている際、遊技球を開閉部材７ｃの右側から左側に転動させて、入賞不能としている。大入賞口７ａに入賞した遊技球は、大入賞口ＳＷ７ｂに検出される（図２参照）。
【００１５】
特定入賞装置８は、大入賞装置７の上方におけるセンター役物装置１５の右側に配設されて、開閉部材８ｃにより開閉される特定入賞口８ａと、特定入賞口８ａ内に配置されて開閉部材８ｇにより開閉されるＶ入賞口（特定領域）８ｅと、ハズレ入賞口８ｉとを備えている。開閉部材８ｃは、特定入賞口８ａの上方に配置されて、特定入賞口ソレノイド８ｄ（図２参照）により駆動される。特定入賞口８ａは、特定入賞口８ａを開けるように開閉部材８ｃが後方に下がっている際に、遊技球を入賞可能とし、特定入賞口８ａを閉じるように開閉部材８ｃが前方に突出している際に、遊技球を開閉部材８ｃの左側から右側に転動させて入賞不能としている。開閉部材８ｇは、Ｖ入賞口８ｅの上方に配置されて、Ｖ入賞口ソレノイド８ｈ（図２参照）により駆動される。Ｖ入賞口８ｅは、Ｖ入賞口８ｅを開けるように開閉部材８ｇが後方に下がっている際に、遊技球を入賞可能とし、Ｖ入賞口８ｅを閉じるように開閉部材８ｇが前方に突出している際に、遊技球を開閉部材８ｇ上から右側に転動させ、入賞不能とし、そして、ハズレ入賞口８ｉへ入賞させる。特定入賞口８ａに入賞した遊技球は、特定入賞口ＳＷ８ｂにより検出され、Ｖ入賞口８ｅに入賞した遊技球は、Ｖ入賞口ＳＷ８ｆにより検出され、ハズレ入賞口８ｉに入賞した遊技球は、ハズレ入賞口ＳＷ８ｊに検出される。
【００１６】
ゲート９は、センター役物装置１５の右側における特定入賞装置８の上方に配置されて、遊技球を通過可能に構成されている。ゲート９を通過した遊技球は、ゲートＳＷ９ａ（図２参照）に検出される。各普通入賞装置１０に入った遊技球は、普通入賞口１０ａに入賞し、普通入賞口ＳＷ１０ｂに検出される。
【００１７】
遊技領域３の外側には、複数のランプからなる図柄表示器１６が設けられ、図柄表示器１６には、第１特別図柄表示器１６ａ、第２特別図柄表示器１６ｂ、普通図柄表示器１６ｃ、第１特別図柄保留ランプ１８ａ、第２特別図柄保留ランプ１８ｂ、及び、普通図柄保留ランプ１８ｃが含まれている（図２参照）。第１特別図柄表示器１６ａは、遊技球の第１始動口５ａへの入球に基づいて行われる判定（以下、「第１特別図柄判定」という。）の結果を報知するものであり、図柄を変動表示してから判定結果を示す判定図柄を停止表示する図柄変動を行う。第１特別図柄判定においては、大当たりか否かを判定し、大当たりと判定した場合には、その大当たりの種類を判定する。第２特別図柄表示器１６ｂは、遊技球の第２始動口５ｂへの入球に基づいて行われる判定（以下、「第２特別図柄判定」という。）の結果を報知するものであり、図柄を変動表示してから判定結果を示す判定図柄を停止表示する図柄変動を行う。第２特別図柄判定においては、大当たりか否かを判定し、大当たりと判定した場合には、その大当たりの種類を判定し、一方、大当たりでないと判定した場合は、小当たりか否かを判定し、小当たりと判定した場合には小当たりの種類を判定する。小当たりの種類は、その小当たりに基づく大当たり（２種大当たり）が発生した場合の大当たりの種類を示しており、したがって、小当たりの種類の判定とは、大当たり（２種大当たり）の種類の判定と換言できる。なお、第１特別図柄判定及び第２特別図柄判定においては、リーチ演出を行うか否か、及び、どの変動パターンを用いるかの判定も行われる。
【００１８】
第１特別図柄表示器１６ａ、第２特別図柄表示器１６ｂに表示される図柄を、判定図柄も含めて、それぞれ第１特別図柄、第２特別図柄といい、それらを総称して「特別図柄」という。また、第１特別図柄表示器１６ａ、第２特別図柄表示器１６ｂに停止表示される判定図柄をそれぞれ第１判定図柄、第２判定図柄という。また、第１特別図柄の図柄変動、第２特別図柄の図柄変動をそれぞれ第１特別図柄変動、第２特別図柄変動といい、それらを総称して「特別図柄変動」という。また、第１特別図柄判定及び第２特別図柄判定を総称して、「特別図柄判定」又は「大当たり判定」という。
【００１９】
第１特別図柄判定又は第２特別図柄判定の結果を示す判定図柄が大当たりを示す図柄（以下、「大当たり図柄」という。）であれば、大入賞口７ａを所定回数開閉する大当たり遊技が行われる。このように、判定図柄が大当たり図柄であるときの大当たりを、１種大当たりという。また、第２特別図柄判定の結果を示す判定図柄が小当たりを示す判定図柄（以下、「小当たり図柄」という。）であれば、特定入賞口８ａを所定回数開閉する小当たり遊技が行われ、小当たり遊技中にはＶ入賞口８ｅが一時的に開放される。そして、小当たり遊技中に特定入賞口８ａに入球した遊技球がＶ入賞口８ｅに入球すると、小当たりに基づく大当たりとなって、大入賞口７ａを所定回数開閉する大当たり遊技が行われる。小当たりに基づく大当たり、すなわち、遊技球がＶ入賞口８ｅに入球することにより発生する大当たりを、２種大当たりという。第１特別図柄判定による大当たりは全て１種大当たりであるが、第２特別図柄判定による大当たりは、１種大当たりの場合と２種大当たりの場合とがある。以下、大当たり遊技と小当たり遊技とを総称して「特別遊技」といい、特別遊技に伴う演出を「当たり演出」という。大当たり判定は、遊技球の第１始動口５ａ又は第２始動口５ｂへの入球を所定の始動条件として、かかる始動条件の成立により遊技者に有利な特別遊技を行うか否かを判定するものである。
【００２０】
特別図柄変動中又は特別遊技中に、遊技球が第１始動口５ａに入球すると、メイン制御部２３（図２参照）は、その入球に対しては即時特別図柄変動を実行できないとして、その入球に対して取得した大当たり乱数等の乱数を、所定個数を上限として所定の保留記憶部に記憶する。そして、特別図柄変動を実行可能になったとき（すなわち、特別図柄変動も特別遊技も行われていない状態になったとき）に、記憶しておいた乱数に基づいて大当たりか否かの第１特別図柄判定を行い、特別図柄変動を実行する。すなわち、特別図柄変動中又は特別遊技中に遊技球が第１始動口５ａに入球すると、遊技機１は、その入球に基づく大当たり判定の権利を保留する。第１特別図柄保留ランプ１８ａは、かかる保留された権利の個数を表示するものである。なお、保留される権利の個数は、上述したように所定個数（ここでは４個）が上限とされているため、その所定個数保留されている状態で遊技球が第１始動口５ａに入球しても、その入球に対する大当たり判定の権利は保留されない。
【００２１】
同様に、特別図柄変動中又は特別遊技中に、遊技球が第２始動口５ｂに入球すると、メイン制御部２３（図２参照）は、その入球に対しては即時特別図柄変動を実行できないとして、その入球に対して取得した大当たり乱数等の乱数を、所定個数を上限として所定の保留記憶部に記憶する。そして、特別図柄変動を実行可能になったとき（すなわち、特別図柄変動も特別遊技も行われていない状態になったとき）に、記憶しておいた乱数に基づいて大当たりか否かの第２特別図柄判定を行い、特別図柄変動を実行する。すなわち、特別図柄変動中又は特別遊技中に遊技球が第２始動口５ｂに入球すると、遊技機１は、その入球に基づく大当たり判定の権利を保留する。第２特別図柄保留ランプ１８ｂは、かかる保留された権利の個数を表示するものである。なお、保留される権利の個数は、上述したように所定個数（ここでは４個）が上限とされているため、その所定個数保留されている状態で遊技球が第２始動口５ｂに入球しても、その入球に対する大当たり判定の権利は保留されない。
【００２２】
なお、メイン制御部２３は、第２始動口５ｂの保留があれば、第１始動口５ａの保留があっても、先に、第２特別図柄判定を行ない、第２始動口５ｂへの保留が無くなった後に、第１特別図柄判定を行なう。
【００２３】
普通図柄表示器１６ｃは、ゲート９への遊技球の通過を契機として行われる普通図柄判定の結果を、変動表示を経て停止表示される普通図柄により報知するものである。停止表示された普通図柄が当たり図柄であれば、所定時間及び所定回数、電チュー５ｃを開く（すなわち、第２始動口５ｂを開放する）補助遊技が行われる。
【００２４】
普通図柄の変動表示中又は補助遊技中に、遊技球がゲート９を通過すると、メイン制御部２３は、その通過に対しては即時普通図柄変動を実行できないとして、その通過に対して取得した当たり乱数を記憶する。そして、普通図柄の変動表示を開始可能な状態になったとき（すなわち、普通図柄の変動表示も補助遊技も行われていない状態になったとき）に、記憶しておいた当たり乱数を用いて当たりか否かの普通図柄判定を行い、普通図柄の変動表示を開始して、その判定結果を示す普通図柄を停止表示する。すなわち、普通図柄の変動中又は補助遊技中に遊技球がゲート９を通過すると、遊技機１は、その通過に基づく普通図柄判定の権利を保留する。普通図柄保留ランプ１８ｃは、かかる保留された権利の個数を表示するものである。なお、保留される権利の個数は、所定個数（ここでは４個）が上限とされているため、その所定個数保留されている状態で遊技球がゲート９を通過しても、その通過に対する普通図柄判定の権利は保留されない。
【００２５】
（２）遊技機の電気系統
実施形態の遊技機１の電気系統について説明すると、実施形態の遊技機１は、図２に示すように、メイン制御部２３、払出制御部２４、サブ制御部２５を備え、サブ制御部２５は、演出制御部２６、画像音響制御部２７、及び、ランプ制御部２８を備えている。そして、払出制御部２４及び演出制御部２６はメイン制御部２３に接続され、画像音響制御部２７及びランプ制御部２８は演出制御部２６に接続されている。各制御部は、ＣＰＵ、ＲＯＭ、ＲＡＭ等を備えている。また、メイン制御部２３は、ＲＡＭ内に図示しない保留記憶部を備えている。
【００２６】
メイン制御部２３は、大当たりの抽選や遊技状態の移行など主に利益に関わる制御を行うものである。メイン制御部２３には、第１始動口５ａに入球した遊技球を検出する第１始動口ＳＷ５ｄ及び第２始動口５ｂに入球した遊技球を検出する第２始動口ＳＷ５ｅの他、各開閉部材５ｃ，７ｃ，８ｃ，８ｇを駆動するソレノイド５ｆ，７ｄ，８ｄ，８ｈ、大入賞口ＳＷ７ｂ、特定入賞口ＳＷ８ｂ、Ｖ入賞口ＳＷ８ｆ，ハズレ入賞口ＳＷ８ｊ、ゲートＳＷ９ａ、普通入賞口ＳＷ１０ｂ、第１特別図柄表示器１６ａ、第２特別図柄表示器１６ｂ、普通図柄表示器１６ｃ、第１特別図柄保留ランプ１８ａ、第２特別図柄保留ランプ１８ｂ、普通図柄保留ランプ１８ｃがそれぞれ接続され、図２に矢印で示すように、各スイッチからはメイン制御部２３に信号が入力され、各ソレノイドやランプ等にはメイン制御部２３から信号が出力される。
【００２７】
また、メイン制御部２３は、払出制御部２４に各種コマンドを送信するとともに、払い出し監視のために払出制御部２４から信号を受信する。払出制御部２４には、図示しない払出装置を駆動する払出駆動モータ３０が接続され、払出制御部２４は、メイン制御部２３から受信したコマンドに従って払出駆動モータ３０を動作させ、賞球の払出を行わせる。
【００２８】
さらに、メイン制御部２３は、演出制御部２６に対し各種コマンドを送信する。演出制御部２６は、ＲＴＣ（リアルタイムクロック）を備え、画像音響制御部２７との間でコマンドや信号の送受信を行う。ＲＴＣは、現時点の日時（日付及び時刻）を計測するものであり、遊技機１に図示しない島電源供給装置から電力が供給されているときにはその電力によって動作し、島電源供給装置から電力が供給されていないときには遊技機１に内蔵されている図示しないバックアップ電源から供給される電力によって動作する。このため、ＲＴＣは、遊技機１の電源が投入されていないときにも現在の日時を計測することができる。また、演出制御部２６には、演出ボタン３８が操作されたことを検出する演出ボタンＳＷ３８ａが接続されている。画像音響制御部２７には、画像表示部６やスピーカ１９，２０が接続され、画像音響制御部２７は、演出制御部２６から受信したコマンドに従って、画像表示部６の表示画面６ａに画像を表示し、スピーカ１９，２０から音声を出力する。また、演出制御部２６は、ランプ制御部２８との間でコマンドや信号の送受信を行う。ランプ制御部２８には、枠ランプ２１、盤ランプ２２、盤側可動役物装置３３の図示しない駆動モータやランプ３５ａ（図４参照）、及び、機枠側可動役物装置４０の駆動モータ１０７やランプ８３ａ，８３ｂ，８４ａ（図１８参照）が接続され、ランプ制御部２８は、演出制御部２６から受信したコマンドに従って、ランプ３５ａ，８３ａ，８３ｂ，８４ａ、枠ランプ２１、盤ランプ２２を点灯・消灯し、可動役物装置３３，４０を動作させる。
【００２９】
（３）遊技機の遊技状態と当たり確率
遊技機１の遊技状態及び当たり確率について簡単に説明すると、遊技機１の遊技状態には、時短無し遊技状態（以下、「通常遊技状態」ともいう。）と時短遊技状態がある。時短遊技状態とは、時短無し遊技状態よりも第２始動口５ｂへ遊技球が入賞し易い状態をいう。具体的には、時短無し遊技状態では、普通図柄判定の当選確率が約１/１０、普通図柄変動時間が２５秒、１回の補助遊技における第２始動口５ｂの開放時間が０．１秒で開放回数が１回であるのに対して、時短遊技状態では、普通図柄判定の当選確率が約９/１０、普通図柄変動時間が２秒、１回の補助遊技における第２始動口５ｂの開放時間が０．３秒で開放回数が５回とされている。また、大当たり当選確率は、いずれの遊技状態でも、また、第１特別図柄判定及び第２特別図柄判定のいずれにおいても、約１／１９９であり、第２特別図柄判定における小当たり当選確率は約１／１．０１とされている。また、特定入賞口８ａに入球した遊技球がＶ入賞口８ｅへ入球する確率は、約１／１６とされている。
【００３０】
初期状態では（即ち、電源が投入されて最初の遊技が開始されるときは）通常遊技状態である。そして、大当たり図柄で特別図柄変動が停止すれば、大入賞口７ａを大当たりの種類に応じた所定回数開放（この開放期間を「ラウンド」といい、Ｒで表記する。）する大当たり遊技を経て、大当たりが発生したときの遊技状態、及び、その大当たり図柄によって示される当たりの種類によって、遊技状態が時短遊技状態又は通常遊技状態のいずれかに遷移される。小当たりに基づく大当たり（２種大当たり）が発生したときも、同様に、大入賞口７ａを小当たり図柄で示される大当たりの種類に応じた所定ラウンド数開放する大当たり遊技を経て、その小当たりが発生した時の遊技状態及びその小当たり図柄で示される大当たりの種類に応じて、遊技状態が遷移される。
【００３１】
遊技機１における大当たりの種類と遊技状態の遷移について説明すると、遊技機１における大当たりには、時短付き１５Ｒ当たり、時短付き４Ｒ当たり、突然時短当たり、時短無し７Ｒ当たり、時短無し４Ｒ当たりがある。時短付き１５Ｒ当たり、時短付き４Ｒ当たり、突然時短当たりは、それぞれ実質ラウンド数が１５ラウンド、４ラウンド、０ラウンドで、いずれも、大当り遊技後に時短遊技状態に遷移する大当たりである。時短無し７Ｒ当たり、時短無し４Ｒ当たりは、それぞれ実質ラウンド数が７ラウンド、４ラウンドで、いずれも、大当り遊技後に通常遊技状態に遷移する大当たりである。なお、実質ラウンド数とは、大入賞口７ａへ複数個の入球が可能なラウンドの数をいう。すなわち、遊技機１では、いずれの大当たりも開放回数という意味でのラウンド数は１５Ｒであるが、例えば０．２秒といった極短時間のラウンド（すなわち、大入賞口７ａに入球するとしても高々１個しか入球しないようなラウンド）は、実質ラウンド数に入れていない。
【００３２】
そして、遊技機１では、上述したように、通常遊技状態では、遊技者は右打ちを行わず、第１始動口５ａを狙うことから、通常遊技状態で発生する大当たりは、通常、１種大当たりであり、通常遊技状態において１種大当たりが発生したとき、そのうちの５０％が時短付き４Ｒ当たり又は突然時短当たり、５０％が時短無し７Ｒ大当たりである。すなわち、５０％の確率で時短遊技状態に遷移する。そして、時短遊技状態では、遊技者は右打ちを行うことから、１種大当たりも２種大当たりも発生し得るが、１種大当たりよりも２種大当たりの発生率の方が高い。時短遊技状態において２種大当たりが発生したとき、そのうちの７０％が時短付き１５Ｒ当たり又は時短付き４Ｒ当たり、３０％が時短無し４Ｒ大当たりである。時短遊技状態において１種大当たりが発生したときも、同様である。また、時短遊技状態は、特別図柄判定が１００回行われる間に大当たりが発生しない場合には終了し、通常遊技状態に遷移する。
【００３３】
（４）機枠側可動役物装置４０の説明
実施形態の機枠側可動役物装置４０は、機枠１１における前面枠１２の上縁側に、猫の顔を擬態化したギミック（可動役物８０の本体）８１を配置させて、図３のＡ，Ｂ、図４〜６に示すように、ギミック８１を、第１位置としての待機位置Ｐ０から上昇させた第２位置としての繰出位置Ｐ１に配置させるように、演出動作させる。実施形態の場合、待機位置Ｐ０では、ギミック８１の猫の顔における上下方向の中間の目８１ｂ付近が、正面から見て、周囲を囲う装飾部材（カバー材）５１の前側部５２に隠れる状態とし、繰出位置Ｐ１では、ギミック８１の猫の顔における略全域が、装飾部材（カバー材）５１の前側部５２から上方に突き出る状態としている。
【００３４】
また、可動役物装置４０は、待機位置Ｐ０でも、ギミック８１の上端（耳）８１ａが機枠１１の上端１１ａから上方へ突出する構成としており、遊技機１を製造した工場からホール等へ運搬する際に、遊技機１をコンパクトにして運搬可能に、ギミック８１の上端８１ａが機枠１１の上端１１ａより大きく突出しないように、図３のＡ，Ｃ、図７〜９に示すように、ギミック８１の上端８１ａを、待機位置Ｐ０に配置されている通常位置ＮＰから下方の退避位置ＳＰまで、下方移動させる構成としている。退避位置ＳＰへのギミック８１の移動は、移動機構５７（図１５参照）により、ギミック８１を上下動させる駆動機構１０６（図２１参照）ごと行い、そして、退避位置ＳＰのギミック８１の上端８１ａは、機枠１１の上端１１ａと略一致する位置まで下降する。
【００３５】
機枠側可動役物装置４０は、図１０に示すように、取付ベース部４２、スペーサブロック４５、支持フレーム４７、装飾部材５１、移動機構５７、及び、機枠側可動役物８０、を備えて構成されている。また、可動役物装置４０は、移動機構５７により下方移動される側の可動側部７８と、移動しない前面枠１２側の取付側部４１と、を備えて構成される（図９，１２参照）。取付側部４１は、取付ベース部４２、スペーサブロック４５、支持フレーム４７、及び、装飾部材５１を備えて構成され、可動側部７８は、機枠側可動役物８０と底部（底壁カバー）１２３とを備えて構成されている。機枠側可動役物８０は、図１８，２１に示すように、可動役物本体としてのギミック８１と、ギミック８１を昇降可能に支持する支持側部９３と、ギミック８１を昇降させる駆動機構１０６と、を備えて構成されている。可動側部７８を構成する機枠側可動役物８０と底部１２３とは、ガラス部１２ａの透明なガラス板部１２ａｇの前方側での配置状態で、通常位置ＮＰから下方の退避位置ＳＰに移動したり、あるいは、逆に、退避位置ＳＰから通常位置ＮＰに移動する構成としている（図３のＡ，Ｂ、図８のＡ，Ｂ参照）。
【００３６】
取付側部４１の取付ベース部４２は、図１０に示すように、前面枠１２におけるガラス部１２ａのガラス板部（ガラス扉）１２ａｇを保持する上縁側の上横桟部１２ａａと左右の縦桟部１２ａｂ，１２ａｃの上部側とを構成している。取付ベース部４２は、機枠１１側に可動役物装置４０を取付固定する部位となる。また、取付ベース部４２は、装飾部材５１の下面側を塞ぐ左右の底カバー４３（Ｌ，Ｒ）を備え、前面側の左右両縁付近のエリアに、スピーカ１９を配設させ、また、背面側に、ガラス部１２ａの施錠を行うための施錠具を動作させる連結杆を有した動作機構１２ａｄを配設させている（図６のＡ参照）。また、取付ベース部４２の背面側には、移動機構５７の後述するロック解除ボタン５８が、後方に突設されている（図６のＡ参照）。
【００３７】
取付側部４１のスペーサブロック４５は、取付側部４１の取付ベース部４２や支持フレーム４７の剛性を向上させるように配設されるもので、図１５に示すように、格子状の桟を多数設けた合成樹脂製の長方形板状とし、支持フレーム４７を保持して、取付ベース部４２に取付固定されている。スペーサブロック４５の後面の下縁側には、装飾部材５１の下面側における底部１２３の後方側を塞ぐ底カバー４６が取り付けられている（図２３参照）。
【００３８】
取付側部４１の支持フレーム４７は、板金製として、図１０，１５に示すように、左右方向に延びてスペーサブロック４５の前面側に取付固定される連結杆部４８と、連結杆部４８の左右両縁から前方に延びて下方に下がる支持ブラケット部４９（Ｌ，Ｒ）と、を備えて構成されている。連結杆部４８には、移動機構５７が組み付けられている。
【００３９】
取付側部４１の装飾部材５１は、図５，１０，１１に示すように、機枠側可動役物装置４０の上端で、左右方向の中央を最も前方側に張り出すような台形板状に構成された合成樹脂から形成されて、前側部５２と、前側部５２の上方を覆う天井部５３と、を備えて構成されている。そして、天井部５３の前縁５３ａ側には、ギミック８１を突出させる開口５４が配設されている。開口５４は、天井部５３の前縁５３ａ側で、天井部５３の前部側の略半分より小さな開口面積として、左右方向に延びた略台形形状に開口している。
【００４０】
前側部５２は、左右方向の中央で左右方向に延びた正面部５２ｃと、正面部５２ｃの左右両縁付近から後方に延びる側面部５２ｄ，５２ｅと、を備えて構成されている。左右の側面部５２ｄ，５２ｅは、後方に向かうに従って、上下方向の幅寸法を広げるように構成され、特に、下方側へ広く延びるように構成されている。装飾部材５１の下面側は、可動側部７８の後述する底部（底壁カバー）１２３に覆われている。なお、詳しくは、装飾部材５１の下面側は、底部１２３、取付ベース部４２の後述する左右の底カバー４３（Ｌ，Ｒ）、及び、スペーサブロック４５の底カバー４６により、塞がれている。また、正面部５２ｃは、図１１に示すように、前面側の透光性を有した意匠面部５２ｃａと、後面側の内側板部５２ｃｂと、が相互に組み付けられて構成されている。意匠面部５２ｃａと内側板部５２ｃｂとの間には、複数の枠ランプ２１（図２参照）が配設されている。
【００４１】
装飾部材５１の左右の側面部５２ｄ，５２ｅは、その内側面側で内側板部５２ｃｂの縁の延設部位に、取付固定されるとともに、内側板部５２ｃｂのそれらの左右の延設部位には、支持フレーム４７の支持ブラケット部４９（Ｌ，Ｒ）が連結固定されている。すなわち、装飾部材５１は、内側板部５２ｃｂを支持ブラケット部４９（Ｌ，Ｒ）に連結させて、支持フレーム４７に保持されている。
【００４２】
移動機構５７は、既述したように、ギミック８１やギミック８１を演出動作させる駆動機構１０６を備えた機枠側可動役物８０を、装飾部材５１の下面側を塞ぐ底部（底壁カバー）１２３ごと、通常位置ＮＰから下方の退避位置ＳＰまで下降させるものであり、具体的には、図１３のＡ，Ｂ、図１４のＡ，Ｂに示すように、機枠側可動役物８０や底部１２３を保持する摺動プレート材７５を、通常位置ＮＰから退避位置ＳＰまで下降させる構成としている。移動機構５７は、図１３〜１７に示すように、摺動プレート材７５、内側ガイドレール７３（Ｌ，Ｒ）、外側ガイドレール７２（Ｌ，Ｒ）、リンク片７１、ロックプレート６４、回動レバー６２、及び、ロック解除ボタン５８、を備えて構成されている。
【００４３】
摺動プレート材７５は、長方形板状の正面壁部７６と、正面壁部７６の左右の縁から前方に延びる長方形板状の取付ブラケット部７７（Ｌ，Ｒ）と、を備えて構成されている。正面壁部７６には、左右両側に前後方向に貫通するように配置されて、ロックプレート６４の左右のロックピン６５（Ｌ，Ｒ）を挿入可能な係合孔７６ｂが配設されるとともに、係合孔７６ｂの下方に、左上から右下に斜めに延びて前後方向に貫通し、リンク片７１の摺動ピン７１ｂを係合させるガイド孔７６ａが形成されている。また、正面壁部７６の下縁側には、底部１２３と結合される連結ブラケット部７６ｃが配設されている。なお、係合孔７６ｂやガイド孔７６ａの内周側には、摩擦抵抗を低減させるように、正面壁部７６の後面側に固定されて配置される合成樹脂材（図符号省略）が配設されている。
【００４４】
左右の取付ブラケット部７７（Ｌ，Ｒ）には、ギミック８１を演出動作させるように支持する支持側部９３の連結ブラケット９４（Ｌ，Ｒ）が連結固定されている（図２０のＡ参照）。また、左右の取付ブラケット部７７（Ｌ，Ｒ）の外側面には、それぞれ、略四角柱状のガイドブロック７７ａが固定されている。ガイドブロック７７ａは、摩擦抵抗を低減できるように、合成樹脂製としている。
【００４５】
左右の取付ブラケット部７７（Ｌ，Ｒ）にそれぞれ固定されたガイドブロック７７ａには、それぞれの外周面側に内側ガイドレール７３（Ｌ，Ｒ）が摺動可能に嵌挿されている。内側ガイドレール７３（Ｌ，Ｒ）は、内周面７３ｂ側にガイドブロック７７ａを嵌挿させ、外周面７３ａ側に外側ガイドレール７２（Ｌ，Ｒ）を摺動可能に配設させている。左右の内側ガイドレール７３（Ｌ，Ｒ）は、上端にガイドブロック７７ａの上端７７ａａと当接する上縁側舌片７３ｃを備えている。外側ガイドレール７２（Ｌ，Ｒ）は、取付側部４１の支持フレーム４７の連結杆部４８に取付固定されている。外側ガイドレール７２（Ｌ，Ｒ）は、上下方向に延びた二つのガイド孔７２ａを直列的に配置させており、各ガイド孔７２ａには、内側ガイドレール７３（Ｌ，Ｒ）に取付固定されるガイドピン７４が、挿通されている。
【００４６】
可動側部７８が通常位置ＮＰから退避位置ＳＰに移動する際には、図１３のＡ，Ｂに示すように、外側ガイドレール７２（Ｌ，Ｒ）の内側で、ガイド孔７２ａ内をガイドピン７４が摺動して、ガイドピン７４がガイド孔７２ａの内周面の下端７２ａａ側で停止するまで、内側ガイドレール７３（Ｌ，Ｒ）が降下し、さらに、内側ガイドレール７３（Ｌ，Ｒ）内をガイドブロック７７ａが摺動して、可動側部７８が退避位置ＳＰまで下降する。なお、ガイドブロック７７ａを固定させた摺動プレート材７５は、図１４のＡ，Ｂに示すように、ガイド孔７６ａの内周面の上端７６ａａ側に、リンク片７１の摺動ピン７１ｂが当接して位置規制されることにより、退避位置ＳＰで停止する。
【００４７】
リンク片７１は、取付側部４１の支持フレーム４７の連結杆部４８に取り付けられた軸支部７１ａにより、上下両端にそれぞれ設けられた摺動ピン７１ｂと嵌合孔７１ｃとを上下に揺動可能として、連結杆部４８に支持されている。摺動ピン７１ｂは、既述したように、摺動プレート材７５の正面壁部７６のガイド孔７６ａに対して、摺動可能に嵌挿されている。嵌合孔７１ｃは、ロックピン６５Ｌが挿入されるものであり、可動側部７８が退避位置ＳＰに配置された際、嵌合孔７１ｃにロックピン６５Ｌが挿入されると、可動側部７８が上下動しないようにロックされることとなる。なお、リンク片７１と連結杆部４８との間には、リンク片７１の摩擦抵抗を低減させるように、合成樹脂からなる滑り板７０が固定されている。
【００４８】
取付側部４１の支持フレーム４７の連結杆部４８には、図１３〜１５に示すように、後面側に、ロックプレート６４が組み付けられ、ロックプレート６４は、左右両側に、連結杆部４８を貫通して前方に突出するロックピン６５（Ｌ，Ｒ）を配設させるとともに、図１５〜１７に示すように、後面に、左右方向に延びた係合孔６４ｂを設けた舌片部６４ａを配設させている。ロックプレート６４は、連結杆部４８の後面側に固定されたガイドピン６７により、前後に移動可能に配設されるとともに、ガイドピン６７の周囲に配設されたばね６８により、連結杆部４８の後面側に押し付けられるように付勢されている。左右のロックピン６５（Ｌ，Ｒ）は、可動側部７８が通常位置ＮＰに配置されている際、摺動プレート材７５の正面壁部７６の左右の係合孔７６ｂに挿入されて、可動側部７８を、下降しないように、通常位置ＮＰで停止（ロック）させる。
【００４９】
ロックプレート６４の舌片部６４ａには、回動レバー６２の牽引ピン６２ｃが挿入されている。回動レバー６２は、スペーサブロック４５に取り付けられた軸支部６２ａにより、左右両端の係合部６２ｂと牽引ピン６２ｃとを前後方向に揺動可能に、配設されている。係合部６２ｂは、ロック解除ボタン５８の係合部５８ｂに挿入されている。
【００５０】
ロック解除ボタン５８は、後端に、操作部５８ａを配設させ、前後方向の中間部位に、回動レバー６２の係合部６２ｂを挿入させるように凹んだ係合部５８ｂを配設させ、ガイドピン５９に保持されて、前後方向に往復移動可能に配設されている。ガイドピン５９は、連結杆部４８に取付固定されるとともに、周囲に、ロック解除ボタン５８を後方へ付勢するばね６０を配設させ、かつ、ロック解除ボタン５８の後方移動位置を規制するように、配設されている。ロック解除ボタン５８は、操作部５８ａを前方側に押圧すれば、ばね６０の付勢力に抗して、係合部５８ｂを前方移動させ、係合部５８ｂに係合させた回動レバー６２の係合部６２ｂを前方に移動させる。そのため、回動レバー６２は、上方から見て、軸支部６２ａを中心として、時計回り方向に回転し（図１７参照）、牽引ピン６２ｃを後方へ引っ張り、牽引ピン６２ｃを挿入させた舌片部６４ａを設けたロックプレート６４も、ガイドピン６７に案内されて、ばね６８の付勢力に抗して後方移動し、その結果、ロックプレート６４のロックピン６５（Ｌ，Ｒ）が、後方移動して、移動機構５７の摺動プレート材７５の係合孔７６ｂから抜け、摺動プレート材７５のロックが解除されることから、外側ガイドレール７２（Ｌ，Ｒ）に案内されて、内側ガイドレール７３（Ｌ，Ｒ）が下降し、内側ガイドレール７３（Ｌ，Ｒ）に案内されて、ガイドブロック７７ａが下降して、取付ブラケット部７７（Ｌ，Ｒ）に保持された可動側部７８が、退避位置ＳＰまで下降することとなる。
【００５１】
なお、ロック解除ボタン５８の操作部５８ａは、取付ベース部４２から後方に突出するように配設されており、前面枠１２を外枠１３や内枠１４から開くように回転させた際、取付ベース部４２の後面側から、押圧操作できるように構成されている。また、ロック解除ボタン５８を押圧操作して、可動側部７８を退避位置ＳＰに配置させた後、ロック解除ボタン５８の操作部５８ａから手を離せば、ばね６０の付勢力により、ロック解除ボタン５８は、後方移動して、ロック解除前の位置に復帰し、また、ロックプレート６４も、ばね６８の付勢力により、前方移動して、ロック解除前の位置に復帰する。但し、この時、リンク片７１は、摺動ピン７１ｂがガイド孔７６ａの内周面における上端７６ａａに配置されるように、回動しており、嵌合孔７２ｃをロックピン６５Ｌの位置に配置させていることから、嵌合孔７１ｃにロックピン６５Ｌが嵌合して、可動側部７８は、退避位置ＳＰで上下動せずに、その位置で停止（ロック）されることとなる。
【００５２】
可動側部７８の機枠側可動役物８０におけるギミック８１は、図１８に示すように、前面側の表側部材８２と、後面側の裏側部材８８と、後面側の左右の裏板８９（Ｌ，Ｒ）と、表側部材８２と裏側部材８８や裏板８９（Ｌ，Ｒ）との間に保持されるランプ基板８３，８４（Ｌ，Ｒ）と、を備えて構成されている。表側部材８２は、猫の顔を擬態化させた意匠面部として構成されるとともに、ランプ基板８３，８４（Ｌ，Ｒ）のランプ８３ａ，８３ｂ，８４ａの点灯状態を表示可能な半透明の合成樹脂製としている。裏側部材８８は、表側部材８２の左右方向の中央部の後面側に配置され、裏板８９（Ｌ，Ｒ）は、表側部材８２の左右両側の後面側に配置される。ランプ基板８３は、ギミック８１の左右の目８１ｂの部位を点灯させるためのランプ８３ａと、それらの周囲に配置されるランプ８３ｂと、を備え、左右のランプ基板８４（Ｌ，Ｒ）のランプ８４ａは、左右の髪８１ｃの部位付近を点灯させるように配置されている。左右の髪８１ｃの部位付近には、リング飾り８５，８６が配置されている。
【００５３】
裏側部材８８は、後面側の左右方向の中央に、図１８に示すように、上下に延びるラック１１４を配設させたラック板として構成されるとともに、左右両側に、左右のガイドローラ９０（Ｌ，Ｒ）をそれぞれ取り付けるための側壁部８８ａを配設させている。ガイドローラ９０（Ｌ，Ｒ）は、それぞれ、長円形状の内プレート９０ａと外プレート９０ｂとの両端付近の間に、回動自在なローラ９０ｃを配設させて、ローラ９０ｃを支持した連結ねじ９１を側壁部８８ａに締結することにより、側壁部８８ａに保持されている。裏側部材８８は、表側部材８２、ランプ基板８３，８４（Ｌ，Ｒ）、リング飾り８５，８６、及び、裏板８９（Ｌ，Ｒ）を保持して、締結されたガイドローラ９０（Ｌ，Ｒ）を介して、支持側部９３に支持されることとなる。
【００５４】
支持側部９３は、板金製の左右の連結ブラケット９４（Ｌ，Ｒ）と、支持板部９７と、を備えて構成されている。左右の連結ブラケット９４（Ｌ，Ｒ）は、それぞれ、下方から斜め上方向にガイドレール９５（Ｌ，Ｒ）を備えるとともに、支持板部９７を連結固定して、移動機構５７の内側ガイドレール７３（Ｌ，Ｒ）に連結固定される。ガイドレール９５（Ｌ，Ｒ）は、左右のガイドローラ９０（Ｌ，Ｒ）を上下に摺動させるように配設されて、その上下の摺動により、ギミック８１を待機位置Ｐ０から繰出位置Ｐ１まで上昇移動させたり、あるいは、繰出位置Ｐ１から待機位置Ｐ０まで下降移動させて、演出動作させることとなる。ガイドレール９５（Ｌ，Ｒ）は、摺動抵抗を低減させるように、合成樹脂材から構成されて、連結ブラケット９４（Ｌ，Ｒ）の金属部位に取付固定されて構成されている。
【００５５】
支持板部９７には、駆動機構１０６の駆動モータ１０７が取り付けられている。駆動機構１０６は、図１９〜２１に示すように、駆動モータ１０７、駆動モータ１０７の駆動軸１０７ａに取り付けられるウォームギヤ１０８、支持板部９７に回動自在に保持されてウォームギヤ１０８に噛合するウォームホイール１０９、ウォームホイール１０９に噛合して支持板部９７に回動自在に保持されるギヤ（ピニオンギヤ）１１０、ギヤ１１０に噛合して支持板部９７に回動自在に保持されるピニオン１１１、ピニオン１１１に噛合してギミック８１の裏側部材８８に設けられたラック１１４、を備えて構成されている。ウォームホイール１０９とギヤ１１０とは、共通する支持軸１１２に回動自在に支持され、相互の対向面に、相互に噛み合う山型状の滑り部１０９ａ，１１０ａが配設されるとともに、ギヤ１１０がばね１１２によりウォームホイール１０９側に押圧されている。
【００５６】
駆動機構１０６の作動では、駆動モータ１０７が駆動軸１０７ａを正転駆動させれば、順次、ウォームギヤ１０８、ウォームホイール１０９、ギヤ１１０、及び、ピニオン１１３が正転駆動されて、ラック１１４を押し上げることから、ガイドレール９５（Ｌ，Ｒ）にガイドローラ９０（Ｌ，Ｒ）を案内させて、ギミック８１が、待機位置Ｐ０から繰出位置Ｐ１まで上昇移動する（図２０のＡ，Ｂ参照）。その後、駆動モータ１０７が駆動軸１０７ａを逆転駆動させれば、順次、ウォームギヤ１０８、ウォームホイール１０９、ギヤ１１０、及び、ピニオン１１３が逆転駆動されて、ラック１１４を押し下げることから、ガイドレール９５（Ｌ，Ｒ）にガイドローラ９０（Ｌ，Ｒ）を案内させて、ギミック８１が、繰出位置Ｐ１から待機位置Ｐ０まで復帰するように下降移動する。
【００５７】
なお、ギミック８１を、無理に、押し下げようとしたり、あるいは、引っ張り上げようとして、ラック１１４が下降若しくは上昇し、ピニオン１１３が逆転若しくは正転して、ピニオン１１３に噛合するギヤ１１０も逆転若しくは正転しようとしても、ギヤ１１０は、滑り部１１０ａを滑り部１０９ａに対して滑らせつつ、ばね１１１の付勢力に抗して、ウォームホイール１０９から離れる方向に移動し（図２１のＢ参照）、滑り部１１０ａ，１０９ａ相互の噛合が解除されるため、ウォームホイール１０９にギヤ１１０の回転が伝達されずに、駆動機構１０６の駆動モータ１０７に不要な力が作用せず、駆動機構１０６の故障を防止できる。
【００５８】
また、ギミック８１の待機位置Ｐ０や繰出位置Ｐ１のセンシングは、裏側部材８８に設けられた検知片１１７（図１８参照）が、光センサ等からなるセンサ１１８を遮光して、待機位置Ｐ０を検出し、光センサ等からなるセンサ１１９を遮光して、繰出位置Ｐ１を検出するように構成されている。
【００５９】
さらに、ギミック８１の左側の髪８１ｃ付近の裏には、駆動モータ１０７やランプ基板８３，８４（Ｌ，Ｒ）に電力を供給するフレキシブルフラットケーブル１００が、取付側部４１側における支持フレーム４７の連結杆部４８から底部１２３側に延びて（図１２，１３参照）、さらに、ケーブル１００Ａが右方側に延び、駆動モータ１０７側に電力を供給可能に分岐し、さらに右方側に延びた部位で、ギミック８１の右側の髪８１ｃ付近の裏に配設されたフレキシブルフラットケーブル１０２（図１８，１９参照）と接続され、ケーブル１０２により、ランプ基板８３，８４（Ｌ，Ｒ）側へ電力を供給するように構成されている。ケーブル１００は、前方側を、連結杆部４８に取り付けられた合成樹脂製のカバー１０４Ｌに覆われ、ケーブル１０２は、上方側を、底部１２３に取り付けられた合成樹脂製のカバー１０４Ｒにより覆われて、共に、開口５４側から視認されることを防ぎ、かつ、装飾部材５１の開口５４から進入される遊技球Ｂ等の異物と干渉（接触）が防止されている。なお、センサ１１８，１１９の信号線は、フラットケーブル１００から延びて駆動モータ１０７側に電力を供給する部位に配線されている。
【００６０】
さらに、支持板部９７には、駆動モータ１０７付近のウォームギヤ１０８の上方を覆うカバー９８やギヤ１１０等の上方を覆うカバー９９が配設されており（図６，１８参照）、駆動モータ１０７やギヤ１０８，１１０が、開口５４から進入される遊技球Ｂ等の異物と干渉（接触）しないように構成されている。さらに、ケーブル１００は、連結杆部４８側に取り付けられた合成樹脂製の可撓性を有した帯状のカバーテープ１０１（図１８参照）により、上方を覆われ、ケーブル１０２は、裏板８９Ｒ側に取り付けられた合成樹脂製の可撓性を有した帯状のカバーテープ１０３（図１８参照）により、上方を覆われて、遊技者側から全く視認できないように、構成されている。
【００６１】
可動側部７８における機枠側可動役物８０の支持側部９３には、左右の連結ブラケット９４（Ｌ，Ｒ）に、それぞれ、連結ブラケット１２１（Ｌ，Ｒ）が連結固定され（図１０，１７，２５参照）、連結ブラケット１２１（Ｌ，Ｒ）には、ギミック８１を含めた機枠側可動役物８０の下方を塞ぐ底部（底壁カバー）１２３が取付固定されている。底部１２３は、下面１２３ｂ側を、前側部５２の下縁５２ｂから後方側に延ばすように、配置させて、装飾部材５１の前側部５２の下面側を覆っている（図８のＡ、図２０のＡ、図２３参照）。詳しくは、記述したように、装飾部材５１の下面側は、底部１２３、取付ベース部４２の左右の底カバー４３（Ｌ，Ｒ）、及び、スペーサブロック４５の底カバー４６により、塞がれている。
【００６２】
底部１２３は、図１３，１４，２２に示すように、左右方向の中央付近を上方に配置させて、左右両縁や前縁側を下方に配置させたような曲がり板状として構成され、上面１２３ａ側が、開口５４から進入した遊技球Ｂが、転動して、左右両縁に配置された排出口１３０（Ｌ，Ｒ）から排出可能な転動面１２４を構成している。転動面１２４は、左右方向の中央に、左右両側と前方側に下がるように傾斜する中央傾斜面１２４ａと、中央傾斜面１２４ａの左右両側に、さらに左右方向の縁側にかけて下がるように傾斜する左側傾斜面１２４ｂ及び右側傾斜面１２４ｃと、左側傾斜面１２４ｂと右側傾斜面１２４ｃとの前方側に、中央傾斜面１２４ａの左右の前縁側から近傍の排出口１３０（Ｌ，Ｒ）側に向けて低くなる左段差状傾斜面１２４ｄ及び右段差状傾斜面１２４ｅと、を備えて構成されている。さらに、底部１２３の上面１２３ａには、薄板状に上方に立ち上る規制リブ１２５（Ｌ，Ｒ），１２６（Ｌ，Ｒ），１２７が、配設されている。規制リブ１２５（Ｌ，Ｒ）は、底部１２３の左右の縁における左側傾斜面１２４ｂと右側傾斜面１２４ｃとの左右方向の縁側に、配設されている。規制リブ１２７は、底部１２３の前縁における中央傾斜面１２４ａの前方側のエリアに配設されて、実施形態の場合、装飾部材（カバー材）５１の内側板部５１ｃｂから構成されている。規制リブ１２６（Ｌ，Ｒ）は、左段差状傾斜面１２４ｄと右段差状傾斜面１２４ｅとの前縁側で、規制リブ１２７の後方側から排出口１３０（Ｌ，Ｒ）の前縁付近まで延びるように配設されている。
【００６３】
この転動面１２４では、開口５４から落下してきた遊技球Ｂが中央傾斜面１２４ａ上に載った場合、遊技球Ｂが底部１２３の前縁側に向かえば、その遊技球Ｂは、規制リブ１２７に当たり、規制リブ１２７に案内されて、左右方向の一方側に向かい、そして例えば、左方側に向かえば、左側の規制リブ１２６Ｌに案内されて、左側の排出口１３０Ｌの部位に到達し、排出口１３０Ｌから落下し、逆に、規制リブ１２７に案内されて右方側に向かえば、右側の規制リブ１２６Ｒに案内されて、右側の排出口１３０Ｒの部位に到達し、排出口１３０Ｒから落下する（図２２参照）。すなわち、転動面１２４の中央傾斜面１２４ａ上に載った遊技球Ｂが前方側に転動すれば、その遊技球Ｂは、規制リブ１２７から規制リブ１２６Ｌ若しくは規制リブ１２６Ｒに案内される前縁側の左右の案内路１２８（Ｌ，Ｒ）を経て、排出口１３０（Ｌ，Ｒ）から排出されることとなる。勿論、開口５４から落下した遊技球Ｂが、直接、左右の案内路１２８（Ｌ，Ｒ）のエリアに載れば、その遊技球Ｂは、案内路１２８Ｌ，１２８Ｒ自体を転動して、近傍の排出口１３０（Ｌ，Ｒ）から排出される。
【００６４】
また、開口５４から落下してきた遊技球Ｂが中央傾斜面１２４ａ上に載って左側に転動すれば、その遊技球Ｂは、左側傾斜面１２４ｂ側に転動し、さらに、左側傾斜面１２４ｂ上を転動して、規制リブ１２５Ｌに当り、その規制リブ１２５Ｌに案内されて、左側の排出口１３０Ｌの部位に到達し、その排出口１３０Ｌから排出される。逆に、開口５４から落下してきた遊技球Ｂが中央傾斜面１２４ａ上に載って右側に転動すれば、その遊技球Ｂは、右側傾斜面１２４ｃ側に転動し、さらに、右側傾斜面１２４ｃ上を転動して、規制リブ１２５Ｒに当り、その規制リブ１２５Ｒに案内されて、右側の排出口１３０Ｒの部位に到達し、その排出口１３０Ｒから排出される。すなわち、転動面１２４の中央傾斜面１２４ａ上に載った遊技球Ｂが左方側や右方側に転動すれば、その遊技球Ｂは、左側傾斜面１２４ｂ上若しくは右側傾斜面１２４ｃ上を経て、規制リブ１２５Ｌ若しくは規制リブ１２５Ｒに案内される左右両縁側の案内路１２９（Ｌ，Ｒ）を経て、排出口１３０（Ｌ，Ｒ）から排出されることとなる。勿論、開口５４から落下した遊技球Ｂが、直接、左右の案内路１２９（Ｌ，Ｒ）のエリアに載れば、その遊技球Ｂは、案内路１２９Ｌ，１２９Ｒ自体を転動して、近傍の排出口１３０（Ｌ，Ｒ）から排出される。
【００６５】
なお、排出口１３０（Ｌ，Ｒ）は、ガラス部１２ａのガラス板部１２ａｇより前方側に配置されている底部１２３に配設されており、排出口１３０（Ｌ，Ｒ）から排出される遊技球Ｂは、ガラス板部１２ａｇの前方側を通過するように、遊技機１の前方側で落下することとなる（図２４，２５参照）。
【００６６】
（５）盤側可動役物装置３３の概略説明
盤側可動役物装置３３は、画像表示部６の周囲に、可動役物３４を構成する８個の分割体３４ａ，３４ｂ，３４ｃ，３４ｄ，３４ｅ，３４ｆ，３４ｇ，３４ｈを配設させて構成され、演出動作時、これらの分割体３４ａ〜３４ｈを画像表示部６における表示画面６ａの略全域を覆って合体するように、動作する。各分割体３４ａ〜３４ｈは、それぞれ、ＬＥＤからなる複数のランプ３５ａを配設させた導光板部３５と、合体した際の周縁を環状に繋げる縁部３６と、を備えて構成されている。分割体３４ａ〜３４ｈが合体すると、各導光板部３５は凸面鏡のような形状となり、各縁部３６は額縁状となる。さらに、各導光板部３５は、合体しても、後方の画像表示部６の表示画面６ａを視認できるような透明性を有している。
【００６７】
（６）可動役物の演出例
装飾図柄変動演出時、例えば、その変動演出が大当たりとなる場合には、可動役物装置３３，４０は、例えば、つぎのように動作する。画像表示部６の表示画面６ａにおいて、図２６のＡに示すように、装飾図柄の左図柄、中図柄、及び、右図柄が変動を開始して、図２６のＢに示すように、左図柄と右図柄とが同じ図柄のリーチが成立し、そして、操作手段としての演出ボタン３８の操作指示が表示され、遊技者が演出ボタン３８を押下操作すれば、図２６のＣに示すように、盤側可動役物３４の分割体３４ａ〜３４ｈが、表示画面６ａの周囲に配置されている待機状態から、ランプ３５ａを点灯させながら繰出位置まで移動して、表示画面６ａを覆うように合体して、リーチ演出が実行される。ついで、盤側可動役物３４の分割体３４ａ〜３４ｈが待機位置に戻って、ＳＰリーチに発展され、画像表示部６の表示画面６ａには、そのリーチ演出が表示される。その際、図２７のＡ，Ｂに示すように、機枠側可動役物装置４０が作動される。
【００６８】
この機枠側可動役物装置４０の作動は、盤側可動役物装置３３と同様に、演出制御部２６の選択した装飾図柄の変動演出パターンに基づき、演出制御部２６からのコマンドにより、ランプ制御部２８が作動させることとなる。そして、作動時には、駆動機構１０６の駆動モータ１０７が駆動軸１０７ａを正転駆動させる。すると、順次、駆動機構１０６のウォームギヤ１０８、ウォームホイール１０９、ギヤ１１０、及び、ピニオン１１３が正転駆動されて、ラック１１４を押し上げることから、ガイドレール９５（Ｌ，Ｒ）にガイドローラ９０（Ｌ，Ｒ）を案内させて、ギミック８１が、待機位置Ｐ０から繰出位置Ｐ１まで上昇移動し、繰出位置Ｐ１に配置されれば（図２０のＡ，Ｂ）、センサ１１９が検知片１１７を検出することから、その信号を入力したランプ制御部２８が駆動モータ１０７の作動を停止させる。
【００６９】
さらに、画像表示部６の表示画面６ａの装飾図柄変動演出時、ＳＰＳＰリーチに発展する直前までに、ランプ制御部２８は、駆動モータ１０７の駆動軸１０７ａを逆転駆動させ、順次、ウォームギヤ１０８、ウォームホイール１０９、ギヤ１１０、及び、ピニオン１１３が逆転駆動されて、ラック１１４を押し下げ、ガイドレール９５（Ｌ，Ｒ）にガイドローラ９０（Ｌ，Ｒ）を案内させて、ギミック８１を、繰出位置Ｐ１から待機位置Ｐ０に復帰させる（図２７のＣ参照）。ギミック８１が、繰出位置Ｐ１から待機位置Ｐ０に移動すれば、センサ１１８が検知片１１７を検出することから、その信号を入力したランプ制御部２８が駆動モータ１０７の作動を停止させる。
【００７０】
なお、ギミック８１は、待機位置Ｐ０から移動を開始し、そして、繰出位置Ｐ１から待機位置Ｐ０に復帰するまで、目８１ｂやその近傍、あるいは、髪８１ｃ付近のランプ８３ａ，８３ｂ，８４ａを点灯（点滅若しくは連続点灯）させる。
【００７１】
画像表示部６の表示画面６ａにおいて、ＳＰＳＰリーチの演出が表示され、図２８のＡに示すように、リーチが成立し、そして、操作手段としての演出ボタン３８の操作指示が表示され、遊技者が演出ボタン３８を押下操作すれば、図２８のＢに示すように、ギミック８１が待機位置Ｐ０から上昇し始めるとともに、盤側可動役物３４の分割体３４ａ〜３４ｈが、表示画面６ａの周囲に配置されている待機状態から、ランプ３５ａを点灯させながら繰出位置まで移動して、表示画面６ａを覆うように合体する。その後、盤側可動役物３４の分割体３４ａ〜３４ｈが待機位置に戻るものの、さらに、ギミック８１は、繰出位置Ｐ１まで移動し、そして、装飾図柄の左図柄、中図柄、及び、右図柄が同じ図柄で停止表示されて、大当たりを報知する（図２８のＣ参照）。その後、例えば、大当たり演出のオープニング演出時に、ギミック８１は、待機位置Ｐ０に復帰し、ランプ８３ａ，８３ｂ，８４ａを消灯させる。
【００７２】
勿論、大当たり演出が終了するまで、ギミック８１は、ランプ８３ａ，８３ｂ，８４ａを点灯させつつ、繰出位置Ｐ１に配置させ、大当たり演出が終了、若しくは、大当たり遊技が終了する際に、待機位置Ｐ０に復帰し、ランプ８３ａ，８３ｂ，８４ａを消灯させてもよい。
【００７３】
あるいは、大当たり遊技後の電サポの付く時短遊技状態が終了するまで、ギミック８１は、ランプ８３ａ，８３ｂ，８４ａを点灯させつつ、繰出位置Ｐ１に配置させ、それらの遊技状態が終了する際に、待機位置Ｐ０に復帰し、ランプ８３ａ，８３ｂ，８４ａを消灯させてもよい。
【００７４】
（７）遊技球の進入
ギミック８１が待機位置Ｐ０や繰出位置Ｐ１への配置時、あるいは、ギミック８１の移動中に、開口５４から遊技球Ｂが機枠側可動役物装置４０内に進入した際には、図２２，２４，２５に示すように、例えば、遊技球Ｂが、転動面１２４の中央傾斜面１２４ａ上に載って前方側に転動すれば、その遊技球Ｂは、規制リブ１２７に当り、規制リブ１２７から規制リブ１２６Ｌ若しくは規制リブ１２６Ｒに案内される前縁側の左右の案内路１２８（Ｌ，Ｒ）を経て、排出口１３０（Ｌ，Ｒ）から排出されることとなる。勿論、開口５４から落下した遊技球Ｂが、直接、左右の案内路１２８（Ｌ，Ｒ）のエリアに載れば、その遊技球Ｂは、案内路１２８Ｌ，１２８Ｒ自体を転動して、近傍の排出口１３０（Ｌ，Ｒ）から排出される。
【００７５】
また、開口５４から落下してきた遊技球Ｂが中央傾斜面１２４ａ上に載って左側に転動すれば、その遊技球Ｂは、左側傾斜面１２４ｂ側に転動し、さらに、左側傾斜面１２４ｂ上を転動して、規制リブ１２５Ｌに当り、規制リブ１２５Ｌに案内される左縁側の案内路１２９Ｌを経て、排出口１３０Ｌから排出される。あるいは、中央傾斜面１２４ａ上に載った遊技球Ｂが右側に転動すれば、右側傾斜面１２４ｃ側に転動し、さらに、右側傾斜面１２４ｃ上を転動して、規制リブ１２５Ｒに当り、規制リブ１２５Ｒに案内される右縁側の案内路１２９Ｒを経て、排出口１３０Ｒから排出される。
【００７６】
なお、駆動機構１０６の駆動モータ１０７、ウォームホイール１０９、ギヤ１１０等は、カバー９８，９９により上方を覆われ、また、駆動モータ１０７やランプ８３ａ，８３ｂ，８４ａに電力を供給するフラットケーブル１００，１０２も、カバー１０４Ｌ，１０４Ｒにより前方や上方を覆われていることから、開口５４から進入する遊技球Ｂは、これらの部材に対して接触せずに、転動面１２４上に載って、排出口１３０Ｌ，１３０Ｒから排出されることとなる。
【００７７】
（８）機枠側可動役物装置４０の可動側部７８の退避位置ＳＰへの収納
機枠側可動役物装置４０と底部１２３とを有して構成される可動側部７８を、退避位置ＳＰ、すなわち、装飾部材５１から上方へ突出しないように、装飾部材５１内に収納する際には、前面枠１２の内枠１４への施錠状態を開錠して前面枠１２を開き、取付側部４１の取付ベース部４２から後方側へ突出している移動機構５７のロック解除ボタン５８を、図１７の二点鎖線に示すように、操作部５８ａを押圧して、前面側に移動させる。すると、ロック解除ボタン５８は、ばね６０の付勢力に抗して、係合部５８ｂを前方移動させ、係合部５８ｂに係合させた回動レバー６２の係合部６２ｂを前方に移動させる。その際、回動レバー６２は、上方から見て、軸支部６２ａを中心として、時計回り方向に回転し、牽引ピン６２ｃを後方へ引っ張り、牽引ピン６２ｃを挿入させた舌片部６４ａを設けたロックプレート６４を、ガイドピン６６，６７に案内させて、ばね６８の付勢力に抗して後方移動させる。そのため、ロックプレート６４のロックピン６５（Ｌ，Ｒ）が、後方移動して、移動機構５７の摺動プレート材７５の係合孔７６ｂから抜けて、摺動プレート材７５のロックが解除されることから、図１３のＡ，Ｂ、図１４のＡ，Ｂに示すように、外側ガイドレール７２（Ｌ，Ｒ）に案内されて、内側ガイドレール７３（Ｌ，Ｒ）が下降し、内側ガイドレール７３（Ｌ，Ｒ）に案内されて、ガイドブロック７７ａが下降して、取付ブラケット部７７（Ｌ，Ｒ）に保持された可動側部７８（すなわち、取付ブラケット部７７（Ｌ，Ｒ）に支持側部９３の連結ブラケット９４（Ｌ，Ｒ）を固定させた機枠側可動役物８０や、連結ブラケット９４（Ｌ，Ｒ）に連結された連結ブラケット１２１（Ｌ，Ｒ）に保持された底部１２３）が、退避位置ＳＰまで下降することとなる。
【００７８】
退避位置ＳＰの可動側部７８は、取付側部４１の支持フレーム４７における連結杆部４８に対して軸支部７１ａにより軸支されたリンク片７１が、摺動ピン７１ｂを、摺動プレート材７５のガイド孔７６ａの内周面の上端７６ａａに当接させて、摺動プレート材７５の下降を停止させる。さらに、ロック解除ボタン５８の操作部５８ａの押圧を解除すれば、ばね６０の付勢力により、ロック解除ボタン５８は、後方移動して、ロック解除前の位置に復帰し、また、ロックプレート６４も、ばね６８の付勢力により、前方移動して、ロック解除前の位置に復帰する。この時、リンク片７１は、一端側の摺動ピン７１ｂをガイド孔７６ａの内周面における上端７６ａａに配置させるように回転させて、他端側の嵌合孔７２ｃをロックピン６５Ｌの位置に配置させていることから、嵌合孔７１ｃにロックピン６５Ｌが嵌合して、可動側部７８は、退避位置ＳＰで上下動せずに、その位置で停止されることとなる。
【００７９】
その後、可動側部７８が退避位置ＳＰに配置された状態で、前面枠１２を閉じるようにして、前面枠１２を内枠１４に対して施錠すれば、図３のＣ、図７、図８のＢ、図９に示すように、ギミック８１の上端８１ａが、装飾部材５１の上面側、すなわち、機枠１１の上端１１ａと略一致し、ギミック８１の下端８１ｄ側や底部１２３が、装飾部材５１の前側部５２の下縁５２ｂから下方に突出して、前側部５２の下方におけるガラス扉（ガラス板部）１２ａｇの前方側のエリアに配置される状態となる。このような形状は、通常位置ＮＰのギミック８１の上端８１ａ側が機枠１１の上端１１ａから突出しない分、コンパクトにした略直方体形状として、遊技機１を取り扱えることから、運搬等の荷姿をコンパクトすることができて、運搬等に便利となる。
【００８０】
その後、ホール等において、可動側部７８を退避位置ＳＰから通常位置ＮＰに配置させる際には、前面枠１２を内枠１４に対して開錠して開き、ロック解除ボタン５８の操作部５８ａをばね６０の付勢力に抗して押圧し、係合部５８ｂを前方移動させ、係合部５８ｂに係合させた回動レバー６２の係合部６２ｂを前方に移動させて、牽引ピン６２ｃを後方へ引っ張れば、牽引ピン６２ｃを挿入させた舌片部６４ａを設けたロックプレート６４を、ガイドピン６６，６７に案内させて、ばね６８の付勢力に抗して後方移動させるため、ロックプレート６４のロックピン６５（Ｌ，Ｒ）が、後方移動して、移動機構５７の摺動プレート材７５の係合孔７６ｂから抜けて、摺動プレート材７５のロックが解除される。そしてその状態で、可動側部７８を押し上げれば、可動側部７８の連結ブラケット９４を連結させた摺動プレート材７５の左右のガイドブロック７７ａが、内側ガイドレール７３（Ｌ，Ｒ）を摺動して上昇し、さらに、ガイドブロック７７ａの上端７７ａａが内側ガイドレール７３（Ｌ，Ｒ）の上縁側に設けられた上縁側舌片７３ｃを押し上げ、内側ガイドレール７３（Ｌ，Ｒ）が外側ガイドレール７２を摺動して上昇する。その際、取付側部４１の支持フレーム４７における連結杆部４８に軸支されたリンク片７１が、摺動ピン７１ｂを摺動プレート材７５のガイド孔７６ａ内を、上端７６ａａ側から下端７６ａｂ側に摺動して、下端７６ａｂに当接して、摺動プレート材７５が上方移動を規制する。そして、この位置規制時には、摺動プレート材７５の左右の係合孔７６ｂ，７６ｂが、ロックプレート６４のロックピン６５（Ｌ，Ｒ）の前方側に配置されることから、ばね６８の付勢力により、ロックピン６５（Ｌ，Ｒ）が左右の係合孔７６ｂ，７６ｂに挿入されて、可動側部７８が通常位置ＮＰで上下動を規制されて停止される。
【００８１】
その後、前面枠１２を閉じるようにして、前面枠１２を内枠１４に対して施錠すれば、図３のＡに示すように、ギミック８１の目８１ｂ付近が装飾部材５１の上縁５２ａ付近に隠れるような、ギミック８１が待機位置Ｐ０に配置された状態となる。
【００８２】
なお、機枠側可動役物８０の駆動モータ１０７、ランプ８３ａ，８３ｂ，８４ａ、センサ１１８，１１９に電力を供給したり信号をするための取付側部４１側から可動側部７８側に延びる電線（ワイヤ）が、フレキシブルフラットケーブル１００から構成されて、可動側部７８の通常位置ＮＰでのフレキシブルフラットケーブル１００の配置状態が、上方へ湾曲するような長さに余裕を設けた配置状態としており、可動側部７８が下方の退避位置ＳＰに配置されても、ケーブル１００が湾曲状態から略直線状態に延びて、容易に対処できる（図１３のＢ、図１４のＢ参照）。
【００８３】
（８）実施形態の作用・効果
◇Ａ．
１．
実施形態の遊技機（１）では、遊技盤（２）の前面側を覆うガラス扉（ガラス板部１２ａｇ）の周囲の機枠（１１）側に配設されて、演出動作可能な可動役物（８１）を有した枠側可動役物装置（４０）と、
前記可動役物の演出動作を制御する演出制御手段（演出制御部２６及びランプ制御部２８）と、
を備え、
前記枠側可動役物装置（４０）が、
前記機枠（１１）側に取り付けられる取付側部（４１）と、前記可動役物（８１）を演出動作可能に保持する可動側部（７８）と、前記可動側部（７８）を前記取付側部（４１）に対して移動可能に保持する移動機構（５７）と、を備え、
前記可動側部（７８）が、
前記可動役物（８１）の一部（上端８１ａ側）を、前記ガラス扉（ガラス板部１２ａｇ）から離れる方向へ前記機枠（１１）から突出させた状態で、前記演出制御手段（演出制御部２６及びランプ制御部２８）の制御により、前記可動役物（８１）を動作させ、
前記移動機構（５７）が、
前記機枠（１１）から突出させた前記可動役物（８１）の前記一部（上端８１ａ側）を前記機枠（１１）内へ収納させるように、前記可動側部（７８）を前記ガラス扉（ガラス板部１２ａｇ）の前面側の退避位置（ＳＰ）に移動させて保持可能に、配設されていることを特徴とする。
【００８４】
実施形態の遊技機１では、機枠側可動役物装置４０と底部１２３とを備えてなる可動側部７８を、退避位置ＳＰに収納する際には、前面枠１２の内枠１４への施錠状態を開錠して前面枠１２を開き、移動機構５７のロック解除ボタン５８を、図１７の２点鎖線に示すように、操作部５８ａを押圧して、前面側に移動させる。すると、ロック解除ボタン５８は、ばね６０の付勢力に抗して、係合部５８ｂを前方移動させ、係合部５８ｂに係合させた回動レバー６２を、上方から見て、軸支部６２ａを中心として、時計回り方向に回転させ、回動レバー６２の牽引ピン６２ｃを挿入させたロックプレート６４を、ばね６８の付勢力に抗して後方移動させる。そのため、ロックプレート６４のロックピン６５（Ｌ，Ｒ）が、移動機構５７の摺動プレート材７５の係合孔７６ｂから抜けて、摺動プレート材７５のロックが解除されることから、図１３，１４に示すように、外側ガイドレール７２（Ｌ，Ｒ）に案内されて、内側ガイドレール７３（Ｌ，Ｒ）が下降し、内側ガイドレール７３（Ｌ，Ｒ）に案内されて、ガイドブロック７７ａが下降して、取付ブラケット部７７（Ｌ，Ｒ）に保持された可動側部７８（すなわち、取付ブラケット部７７（Ｌ，Ｒ）に支持側部９３の連結ブラケット９４（Ｌ，Ｒ）を固定させた機枠側可動役物８０や、連結ブラケット９４（Ｌ，Ｒ）に連結された連結ブラケット１２１（Ｌ，Ｒ）に保持された底部１２３）が、退避位置ＳＰまで下降することとなる。
【００８５】
また、退避位置ＳＰの可動側部７８は、支持フレーム４７の連結杆部４８に対して軸支部７１ａにより軸支されたリンク片７１が、摺動ピン７１ｂを、摺動プレート材７５のガイド孔７６ａの内周面の上端７６ａａに当接させて、摺動プレート材７５の下降を停止させ、さらに、ロック解除ボタン５８の操作部５８ａの押圧を解除すれば、ばね６０の付勢力により、ロック解除ボタン５８は、後方移動して、ロック解除前の位置に復帰し、また、ロックプレート６４も、ばね６８の付勢力により、前方移動して、ロック解除前の位置に復帰する。そのため、リンク片７１は、一端側の摺動ピン７１ｂをガイド孔７６ａの内周面における上端７６ａａに配置させるように回転させて、他端側の嵌合孔７２ｃをロックピン６５Ｌの位置に配置させていることから、嵌合孔７１ｃにロックピン６５Ｌが嵌合して、可動側部７８は、退避位置ＳＰで上下動せずに、その位置で停止されることとなる。
【００８６】
そして、可動側部７８が退避位置ＳＰに配置された状態で、前面枠１２を閉じるようにして、前面枠１２を内枠１４に対して施錠すれば、図３のＣ、図７、図８のＢ、図９に示すように、ギミック８１の上端８１ａが、装飾部材５１の上面側、すなわち、機枠１１の上端１１ａと略一致し、ギミック８１の下端８１ｄ側や底部１２３が、装飾部材５１の前側部５２の下縁５２ｂから下方に突出して、前側部５２の下方におけるガラス扉（ガラス板部）１２ａｇの前方側のエリアに配置される状態となる。このような形状は、通常位置ＮＰのギミック８１の上端８１ａ側が機枠１１の上端１１ａから突出しない分、コンパクトにした略直方体形状として、遊技機１を取り扱えることから、運搬等の荷姿をコンパクトすることができて、運搬等に便利となる。
【００８７】
その後、ホール等において、可動側部７８を退避位置ＳＰから通常位置ＮＰに配置させる際には、前面枠１２を内枠１４に対して開錠して開き、ロック解除ボタン５８の操作部５８ａをばね６０の付勢力に抗して押圧し、係合部５８ｂを前方移動させ、係合部５８ｂに係合させた回動レバー６２の係合部６２ｂを前方に移動させて、牽引ピン６２ｃを後方へ引っ張れば、牽引ピン６２ｃを挿入させた舌片部６４ａを設けたロックプレート６４を、ガイドピン６６，６７に案内させて、ばね６８の付勢力に抗して後方移動させるため、ロックプレート６４のロックピン６５（Ｌ，Ｒ）が、後方移動して、移動機構５７の摺動プレート材７５の係合孔７６ｂから抜けて、摺動プレート材７５のロックが解除される。そしてその状態で、可動側部７８を押し上げれば、可動側部７８の連結ブラケット９４を連結させた摺動プレート材７５の左右のガイドブロック７７ａが、内側ガイドレール７３（Ｌ，Ｒ）を摺動して上昇し、さらに、ガイドブロック７７ａの上端７７ａａが内側ガイドレール７３（Ｌ，Ｒ）の上縁側に設けられた上縁側舌片７３ｃを押し上げ、内側ガイドレール７３（Ｌ，Ｒ）が外側ガイドレール７２を摺動して上昇する。その際、取付側部４１の支持フレーム４７における連結杆部４８に軸支されたリンク片７１が、摺動ピン７１ｂを摺動プレート材７５のガイド孔７６ａ内を、上端７６ａａ側から下端７６ａｂ側に摺動して、下端７６ａｂに当接して、摺動プレート材７５が上方移動を規制する。そして、この位置規制時には、摺動プレート材７５の左右の係合孔７６ｂ，７６ｂが、ロックプレート６４のロックピン６５（Ｌ，Ｒ）の前方側に配置されることから、ばね６８の付勢力により、ロックピン６５（Ｌ，Ｒ）が左右の係合孔７６ｂ，７６ｂに挿入されて、可動側部７８が通常位置ＮＰで上下動を規制されて停止される。その後、遊技機１に、図示しない島電源供給装置から電力等を供給させるようにすれば、遊技者を迎えて遊技することができる。
【００８８】
したがって、実施形態の遊技機１では、機枠１１から突出する可動役物８０の本体８１を備えていても、可動側部７８を退避位置ＳＰに収納させれば、容易にコンパクトにして運搬することができる。
【００８９】
２．
実施形態の遊技機１では、可動側部７８が退避位置ＳＰと通常位置ＮＰとの配置位置を、移動機構５７における可動側部７８を保持する摺動プレート材７５を、ガイドレール７２（Ｌ，Ｒ），７３（Ｌ，Ｒ）やガイドブロック７７ａにより上下動可能に配設し、リンク片７１の摺動ピン７１ｂを、摺動プレート材７５のガイド孔７６ａの内周面の上端７６ａａに当接させて、可動側部７８の通常位置ＮＰを規定し、また、摺動ピン７１ｂを、摺動プレート材７５のガイド孔７６ａの内周面の下端７６ａｂに当接させて、可動側部７８の退避位置ＳＰを規定している。
【００９０】
すなわち、取付側部４１側の支持フレーム４７の連結杆部４８に軸支させて先端に摺動ピン７１ｂを設けたリンク片７１と、リンク片７１の摺動ピン７１ｂを摺動可能に係合させた傾斜したガイド孔７２ａを有して上下動可能に配設させた摺動プレート材７５と、により、可動側部７８の通常位置ＮＰと退避位置ＳＰとを規定できることから、簡便な構成により、可動側部７８を退避位置ＳＰと通常位置ＮＰとの配置させることができる。
【００９１】
３．
実施形態の遊技機１では、可動側部７８を退避位置ＳＰと通常位置ＮＰとに配置させた際に、可動側部７８を移動しないように停止（ロック）させる機構として、取付側部４１側に配設したロックプレート６４のロックピン６５（Ｌ，Ｒ）を、摺動プレート材７５の係合孔７５ｂに挿入させて、摺動プレート材７５の移動を規制したり、あるいは、摺動プレート材７５のガイド孔７６ａに係合させた摺動ピン７１ｂを設けたリンク片７１における摺動ピン７１ｂの他端側の嵌合孔７１ｃに、挿入させて、間接的に、摺動プレート材７５の移動を規制している。
【００９２】
すなわち、退避位置ＳＰや通常位置ＮＰに配置させた可動側部７８を移動不能に停止させる機構に、ロックプレート６４のロックピン６５（Ｌ，Ｒ）を共用しており、簡便な構成により、可動側部７８を退避位置ＳＰと通常位置ＮＰとで移動不能に停止させることができる。
【００９３】
４．
実施形態の遊技機１では、退避位置ＳＰや通常位置ＮＰに配置させた可動側部７８を移動不能に停止させるロックプレート６４を、ロックプレート６４に設けた舌片部６４ａに牽引ピン６２ｃを係止させた回動レバー６２を利用して、ロック解除ボタン５８の操作（押圧操作）だけで、簡単に、可動側部７８を退避位置ＳＰと通常位置ＮＰとで移動不能に停止（ロック）させた状態を、解除（ロック解除）できる。
【００９４】
◆Ｂ．
１．
実施形態の遊技機（１）では、機枠（１１）側に配設されて、演出動作可能な可動役物（８１）を有した枠側可動役物装置（４０）と、
前記可動役物（８１）の演出動作を制御する演出制御手段（演出制御部２６及びランプ制御部２８）と、
を備え、
前記枠側可動役物装置（４０）が、
前記可動役物（８１）を、前記枠側可動役物装置（４０）の底部（１２３）に接近した第１位置（待機位置Ｐ０）と、前記底部（１２３）から離れた第２位置（繰出位置Ｐ１）とに配置させるように、前記演出制御手段（演出制御部２６及びランプ制御部２８）によって制御されるとともに、
前記第１位置（待機位置Ｐ０）の前記可動役物（８１）の少なくとも一部を含めた前記底部（１２３）を覆い、かつ、前記第２位置（繰出位置Ｐ１）へ移動する前記可動役物（８１）の前記一部（目８１ｂや髪８１ｃ付近）を挿通可能な開口（５４）を有したカバー材（装飾部材５１）、を備え、
前記底部（１２３）に、前記枠側可動役物装置（４０）内から前記枠側可動役物装置（４０）外へ遊技球（Ｂ）を排出可能な排出口（１３０Ｌ，１３０Ｒ）と、前記底部（１２３）上の前記遊技球（Ｂ）を前記排出口（１３０Ｌ，１３０Ｒ）へ案内可能な転動面（１２４）と、を配設させていることを特徴とする。
【００９５】
実施形態の遊技機１では、開口５４を経て機枠側可動役物装置４０内に遊技球Ｂが進入しても、例えば、遊技球Ｂが、転動面１２４の中央傾斜面１２４ａ上に載って前方側に転動すれば、その遊技球Ｂは、規制リブ１２７に当り、規制リブ１２７から規制リブ１２６Ｌ若しくは規制リブ１２６Ｒに案内される前縁側の左右の案内路１２８（Ｌ，Ｒ）を経て、排出口１３０（Ｌ，Ｒ）から排出されることとなる（図２２，２４，２５参照）。また、開口５４から落下してきた遊技球Ｂが中央傾斜面１２４ａ上に載って左側に転動すれば、その遊技球Ｂは、左側傾斜面１２４ｂ側に転動し、さらに、左側傾斜面１２４ｂ上を転動して、規制リブ１２５Ｌに当り、規制リブ１２５Ｌに案内される左縁側の案内路１２９Ｌを経て、排出口１３０Ｌから排出される。あるいは、中央傾斜面１２４ａ上に載った遊技球Ｂが右側に転動すれば、右側傾斜面１２４ｃ側に転動し、さらに、右側傾斜面１２４ｃ上を転動して、規制リブ１２５Ｒに当り、規制リブ１２５Ｒに案内される右縁側の案内路１２９Ｒを経て、排出口１３０Ｒから排出される。
【００９６】
勿論、開口５４から落下した遊技球Ｂが、直接、左右の案内路１２８（Ｌ，Ｒ），１２９（Ｌ，Ｒ）のエリアに載れば、その遊技球Ｂは、案内路１２８Ｌ，１２８Ｒ，１２９Ｌ，１２９Ｒ自体を転動して、近傍の排出口１３０（Ｌ，Ｒ）から排出される。
【００９７】
特に、可動役物８０の本体（ギミック）８１が、演出動作する際に、開口５４内を挿通しつつ、底部１２３に接近した第１位置としての待機位置Ｐ０から底部１２３から離れた第２位置としての繰出位置Ｐ１に、移動する構成として、開口５４の内周側とギミック８１との間の隙間に関し、ギミック８１の凹凸に伴なって、大きな隙間ＨＬ１，ＨＬ２や小さな隙間ＨＳ１，ＨＳ２（図５参照）が、適宜、発生し、遊技者等のイタズラ等により、発生した開口５４内の大きな隙間ＨＬ１，ＨＬ２から遊技球Ｂが可動役物装置４０内へ投入されることととなっても、円滑に、遊技球Ｂが排出口１３０（Ｌ，Ｒ）から排出される。
【００９８】
したがって、実施形態の遊技機１では、開口５４を経て機枠側可動役物装置４０内に遊技球Ｂが進入しても、左右の排出口１３０（Ｌ，Ｒ）から自動的に排出されることから、別途、手作業等で遊技球Ｂを排出しなくともよく、容易に対処することができる。
【００９９】
２．
実施形態の遊技機１では、排出口１３０（Ｌ，Ｒ）が前面枠１２のガラス部１２ａにおけるガラス板部１２ａｇの前方側で開口されている。そのため、排出口１３０（Ｌ，Ｒ）から排出される遊技球Ｂは、遊技機１の内部で転動せずに、遊技機１外に排出されることから、遊技機１の故障等を招かない。
【０１００】
３．
実施形態の遊技機１では、排出口１３０（Ｌ，Ｒ）が、底部１２３の外周縁における左右両側に配設されて、ガラス部１２ａのガラス板部１２ａｇの左右方向の中央、すなわち、画像表示部６の前面側を避けて、遊技盤２の左右両側付近に配置されている。そのため、排出口１３０Ｌ，１３０Ｒから排出される遊技球Ｂは、画像表示部６の前方側となるガラス板部１２ａｇの左右方向の中央部位を通過しない。そのため、排出口１３０（Ｌ，Ｒ）から落下するように排出される遊技球Ｂがガラス板部１２ａｇと接触しても、画像表示部６の視認性を低下させるように、ガラス板部１２ａｇを傷付けることを防止できる。
【０１０１】
４．
なお、実施形態では、機枠側可動役物８０を前面枠１２のガラス部１２ａの上端側に配設したが、機枠側可動役物装置は、排出口から排出する遊技球を皿ユニット部１１ｂ側や遊技機の下方側に向けて排出するように構成して、ガラス部１２ａの左右の縁側に配設したり、あるいは、排出口から排出する遊技球を遊技機の下方側に向けて排出するように構成して、皿ユニット部１１ｂに配設してもよい。
【符号の説明】
【０１０２】
１…遊技機、１１…機枠、１２…前面枠、１２ａ…ガラス部、１２ａｇ…（ガラス扉）ガラス板部、２６…（演出制御手段）演出制御部、２８…（演出制御手段）ランプ制御部、４０…機枠側可動役物装置、４１…取付側部、５７…移動機構、７８…可動側部、８０…機枠側可動役物、８１…（可動役物本体）ギミック、８１ａ…（ギミックの一部・耳）上端、ＮＰ…通常位置、ＳＰ…退避位置。
【図１】
2018166964.tif 000003
【図２】
2018166964.tif 000004
【図３】
2018166964.tif 000005
【図４】
2018166964.tif 000006
【図５】
2018166964.tif 000007
【図６】
2018166964.tif 000008
【図７】
2018166964.tif 000009
【図８】
2018166964.tif 000010
【図９】
2018166964.tif 000011
【図１０】
2018166964.tif 000012
【図１１】
2018166964.tif 000013
【図１２】
2018166964.tif 000014
【図１３】
2018166964.tif 000015
【図１４】
2018166964.tif 000016
【図１５】
2018166964.tif 000017
【図１６】
2018166964.tif 000018
【図１７】
2018166964.tif 000019
【図１８】
2018166964.tif 000020
【図１９】
2018166964.tif 000021
【図２０】
2018166964.tif 000022
【図２１】
2018166964.tif 000023
【図２２】
2018166964.tif 000024
【図２３】
2018166964.tif 000025
【図２４】
2018166964.tif 000026
【図２５】
2018166964.tif 000027
【図２６】
2018166964.tif 000028
【図２７】
2018166964.tif 000029
【図２８】
2018166964.tif 000030
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
遊技盤の前面側を覆うガラス扉の周囲における機枠の上縁側に配設されて、可動役物を有した枠側可動役物装置と、
演出制御手段と、
を備え、
前記可動役物が、演出動作する可動役物本体と、前記演出制御手段により作動を制御されて前記可動役物本体を演出動作させる駆動機構と、を備え、
前記枠側可動役物装置が、前記可動役物を通常位置から前記ガラス扉の前方側のエリアの退避位置に下降移動可能な移動機構を備え、
前記可動役物本体は、前記可動役物が前記通常位置に配置されているときに、演出動作を行うとともに、
前記可動役物が前記通常位置に配置されて前記可動役物本体が前記演出動作の開始前の待機位置に配置されているときに、前記可動役物本体の上端が前記機枠の上縁から突出し、
前記可動役物が前記退避位置に配置されているときに、前記上端が前記機枠の上縁から突出しないことを特徴とする遊技機。
【手続補正２】
【補正対象書類名】明細書
【補正対象項目名】０００７
【補正方法】変更
【補正の内容】
【０００７】
本発明に係る遊技機は、遊技盤（２）の前面側を覆うガラス扉（ガラス板部１２ａｇ）の周囲における機枠（１１）の上縁側に配設されて、可動役物（８０）を有した枠側可動役物装置（４０）と、
演出制御手段（演出制御部２６及びランプ制御部２８）と、
を備え、
前記可動役物（８０）が、演出動作する可動役物本体（８１）と、前記演出制御手段により作動を制御されて前記可動役物本体を演出動作させる駆動機構（１０６）と、を備え、
前記枠側可動役物装置（４０）が、前記可動役物を通常位置（ＮＰ）から前記ガラス扉の前方側のエリアの退避位置（ＳＰ）に下降移動可能な移動機構（５７）を備え、
前記可動役物本体は、前記可動役物が前記通常位置に配置されているときに、演出動作を行うとともに、
前記可動役物が前記通常位置に配置されて前記可動役物本体が前記演出動作の開始前の待機位置（Ｐ０）に配置されているときに、前記可動役物本体の上端（８１ａ）が前記機枠の上縁から突出し、
前記可動役物が前記退避位置に配置されているときに、前記上端が前記機枠の上縁から突出しないことを特徴とする。